(57)【要約】【課題】  所定の生理周期における基礎体温データの変化と、他の生理周期における基礎体温データの変化との関係を把握しやすいトレンドグラフ表示画面を提供する。【解決手段】  表示処理装置であって、基礎体温データを表示するための表示画面５００を表示する手段と、所定の指示５１２〜５１４が入力された場合に、該指示により特定される生理周期の初日の基礎体温データを、体温計メモ５３０に基づいて識別する手段と、該識別した初日の基礎体温データが、表示画面５００上の所定の位置にプロットされるように、基礎体温データ５２０を表示画面５００上にプロットする手段と、プロットされた基礎体温データ５２０のうち、前記指示により特定される生理周期１周期内の基礎体温データ５２４以外の基礎体温データ５２３、５２５について、該指示により特定される生理周期１周期内の基礎体温データ５２４と異なる表示態様で表示する手段とを備える。【選択図】  図１
2011067293.tif 000002
【特許請求の範囲】
【請求項１】
生理周期１周期以上の期間にわたる基礎体温データをプロット可能な表示画面を表示する第１の表示制御手段と、
所定の指示が入力された場合に、該指示により特定される生理周期を識別する識別手段と、
前記識別手段により識別された生理周期１周期内の基礎体温データに対応付けて記憶された、該識別された生理周期の初日を示す情報に基づいて、該識別された生理周期内の初日の基礎体温データを特定し、該特定した初日の基礎体温データが、前記表示画面上の予め定められた位置にプロットされるように、該識別された生理周期１周期内の基礎体温データを含む該識別された生理周期１周期以上の期間にわたる基礎体温データを前記表示画面上にプロットする第２の表示制御手段と、
前記第２の表示制御手段によりプロットされた基礎体温データのうち、前記識別された生理周期１周期内の基礎体温データ以外の基礎体温データを、該識別された生理周期１周期内の基礎体温データと異なる表示態様で表示する第３の表示制御手段と
を備えることを特徴とする表示処理装置。
【請求項２】
前記第３の表示制御手段は、
前記指示により特定される生理周期の初日より前の基礎体温データと、前記指示により特定される生理周期の次の生理周期の初日以降の基礎体温データとを、前記指示により特定される生理周期１周期内の基礎体温データと異なる表示態様で表示することを特徴とする請求項１に記載の表示処理装置。
【請求項３】
前記所定の指示は、該所定の指示が入力された時点で前記第２の表示制御手段により、前記識別された初日の基礎体温データが前記表示画面上の予め定められた位置にプロットされている生理周期に対して、１つ前の生理周期または１つ後の生理周期を表示させるための指示であることを特徴とする請求項１または２に記載の表示処理装置。
【請求項４】
前記所定の指示は、該所定の指示が入力された時点で最新の生理周期を表示させるための指示であることを特徴とする請求項１または２に記載の表示処理装置。
【請求項５】
生理周期１周期分の基礎体温データを、複数の生理周期についてプロット可能な表示画面を表示する第１の表示制御手段と、
所定の指示が入力された場合に、該指示により特定される複数の生理周期内のそれぞれの初日の基礎体温データを、該それぞれの生理周期１周期内の基礎体温データに対応付けて記憶された、それぞれの生理周期の初日を示す情報に基づいて識別し、該識別したそれぞれの生理周期内の初日の基礎体温データが、前記表示画面上の予め定められた位置にプロットされるように、前記指示により特定される複数の生理周期１周期分の基礎体温データをそれぞれ前記表示画面上に重畳してプロットする第２の表示制御手段と
を備えることを特徴とする表示処理装置。
【請求項６】
表示処理装置において実行される表示処理方法であって、
生理周期１周期以上の期間にわたる基礎体温データをプロット可能な表示画面を表示する第１の表示制御工程と、
所定の指示が入力された場合に、該指示により特定される生理周期を識別する識別工程と、
前記識別工程において識別された生理周期１周期内の基礎体温データに対応付けて記憶された、該識別された生理周期の初日を示す情報に基づいて、該識別された生理周期内の初日の基礎体温データを特定し、該特定した初日の基礎体温データが、前記表示画面上の予め定められた位置にプロットされるように、該識別された生理周期１周期内の基礎体温データを含む該識別された生理周期１周期以上の期間にわたる基礎体温データを前記表示画面上にプロットする第２の表示制御工程と、
前記第２の表示制御工程においてプロットされた基礎体温データのうち、前記識別された生理周期１周期内の基礎体温データ以外の基礎体温データを、該識別された生理周期１周期内の基礎体温データと異なる表示態様で表示する第３の表示制御工程と
を備えることを特徴とする表示処理方法。
【請求項７】
表示処理装置において実行される表示処理方法であって、
生理周期１周期分の基礎体温データを、複数の生理周期についてプロット可能な表示画面を表示する第１の表示制御工程と、
所定の指示が入力された場合に、該指示により特定される複数の生理周期内のそれぞれの初日の基礎体温データを、該それぞれの生理周期１周期内の基礎体温データに対応付けて記憶された、それぞれの生理周期の初日を示す情報に基づいて識別し、該識別したそれぞれの生理周期内の初日の基礎体温データが、前記表示画面上の予め定められた位置にプロットされるように、前記指示により特定される複数の生理周期１周期分の基礎体温データをそれぞれ前記表示画面上に重畳してプロットする第２の表示制御工程と
を備えることを特徴とする表示処理方法。
【請求項８】
請求項６または７に記載の表示処理方法の各工程をコンピュータによって実行させるためのプログラム。
【請求項９】
請求項６または７に記載の表示処理方法の各工程をコンピュータによって実行させるためのプログラムを格納したコンピュータ読取可能な記録媒体。
【発明の詳細な説明】
【技術分野】
【０００１】
本発明は、体温データのトレンドグラフを表示する表示処理技術に関するものである。特に、女性の基礎体温データのトレンドグラフを表示する表示処理技術に関するものである。
【背景技術】
【０００２】
従来より、基礎体温の測定や、測定した基礎体温に基づくトレンドグラフの作成が可能な女性用体温計が知られている。一般に女性用体温計には、ＬＣＤ等の表示部が設けられており、測定された基礎体温や該基礎体温に基づいて作成されたトレンドグラフを表示したり、体調に関する各種情報を入力したりすることができるように構成されている。
【０００３】
また、女性用体温計に限らず、通常の電子体温計を用いて基礎体温を測定し、パソコンや携帯電話等のデータ処理・表示機能を備えた表示処理装置に当該測定した基礎体温を取り込み、表示処理装置においてトレンドグラフの作成・表示を行ったり、体調に関する情報の入力を行ったりすることも可能となっており、そのためのアプリケーションも普及している。
【０００４】
図１０は、女性用体温計の表示部や、表示処理装置に表示される、基礎体温に基づいて作成されたトレンドグラフを表示するためのトレンドグラフ表示画面の一例を示す図である。図１０に示すように、トレンドグラフ表示画面は、通常、生理周期１周期分の期間を含む所定期間分の日付を横軸にとり、縦軸に体温をとることで、基礎体温データの時系列的な変化が一目でわかるように表示される。また、表示された日付に対応付けて体調に関する生理情報等を配置することで、基礎体温データと被検者の体調との関係が容易にわかるように表示される。
【先行技術文献】
【特許文献】
【０００５】
【特許文献１】特開２００９−８６１３号公報
【特許文献２】実開昭６３−９９２３４号公報
【発明の概要】
【発明が解決しようとする課題】
【０００６】
しかしながら、従来の基礎体温データのトレンドグラフ表示画面の場合、生理周期１周期内の基礎体温データの変化や当該基礎体温データと体調に関する情報との関係については容易に把握できるものの、前後の生理周期における基礎体温データの変化との相違（前の生理周期または後の生理周期１周期内の基礎体温データの変化と、当該生理周期１周期内の基礎体温データの変化との相違）については、把握しにくいという問題があった。
【０００７】
本発明は上記課題に鑑みてなされたものであり、所定の生理周期１周期内の基礎体温データの変化と、他の生理周期１周期内の基礎体温データの変化との関係を把握しやすいトレンドグラフ表示画面を提供することを目的とする。
【課題を解決するための手段】
【０００８】
上記の目的を達成するために本発明に係る表示処理装置は以下のような構成を備える。即ち、
生理周期１周期以上の期間にわたる基礎体温データをプロット可能な表示画面を表示する第１の表示制御手段と、
所定の指示が入力された場合に、該指示により特定される生理周期を識別する識別手段と、
前記識別手段により識別された生理周期１周期内の基礎体温データに対応付けて記憶された、該識別された生理周期の初日を示す情報に基づいて、該識別された生理周期内の初日の基礎体温データを特定し、該特定した初日の基礎体温データが、前記表示画面上の予め定められた位置にプロットされるように、該識別された生理周期１周期内の基礎体温データを含む該識別された生理周期１周期以上の期間にわたる基礎体温データを前記表示画面上にプロットする第２の表示制御手段と、
前記第２の表示制御手段によりプロットされた基礎体温データのうち、前記識別された生理周期１周期内の基礎体温データ以外の基礎体温データを、該識別された生理周期１周期内の基礎体温データと異なる表示態様で表示する第３の表示制御手段とを備える。
【発明の効果】
【０００９】
本発明によれば、所定の生理周期１周期内の基礎体温データの変化と、他の生理周期１周期内の基礎体温データの変化との関係を把握しやすいトレンドグラフ表示画面を提供することが可能となる。
【図面の簡単な説明】
【００１０】
【図１】本発明の第１の実施形態に係る表示処理装置１００と電子体温計１１０とを備える基礎体温データ測定／表示システムの構成を示す図である。
【図２】本発明の第１の実施形態に係る表示処理装置の構成を示す図である。
【図３】電子体温計１１０の構成を示す図である。
【図４】本発明の第１の実施形態に係る表示処理装置１００のトレンドグラフ作成・表示アプリケーションにおけるトレンドグラフ作成・表示処理の流れを示すフローチャートである。
【図５】本発明の第１の実施形態に係る表示処理装置１００において表示されるトレンドグラフ表示画面の一例を示す図である。
【図６】本発明の第１の実施形態に係る表示処理装置１００において表示されるトレンドグラフ表示画面の一例を示す図である。
【図７】本発明の第１の実施形態に係る表示処理装置１００において表示されるトレンドグラフ表示画面の一例を示す図である。
【図８】本発明の第２の実施形態に係る表示処理装置１００のトレンドグラフ作成・表示アプリケーションにおけるトレンドグラフ作成・表示処理の流れを示すフローチャートである。
【図９】本発明の第２の実施形態に係る表示処理装置１００において表示されるトレンドグラフ表示画面の一例を示す図である。
【図１０】従来の表示処理装置において表示されるトレンドグラフ表示画面の一例を示す図である。
【発明を実施するための形態】
【００１１】
以下、必要に応じて添付図面を参照しながら本発明の各実施形態を詳細に説明するが、本発明は、下記の実施形態に限定されるものではなく、適宜変更が可能である。
【００１２】
［第１の実施形態］
＜１．基礎体温データ測定／表示システムの構成＞
図１は、本発明の第１の実施形態に係る表示処理装置１００と、電子体温計１１０とを備える基礎体温データ測定／表示システムの一構成例を示す図である。図１において、１００は電子体温計１１０にて測定された体温データを受信し、トレンドグフフを作成・表示可能なノート型パソコン等の表示処理装置である。
【００１３】
表示処理装置１００には、電子体温計１１０にて測定された体温データを受信し、トレンドグラフを作成・表示したり、被検者の体調に関する各種情報（例えば、生理初日を示す情報、生理痛があった日を示す情報、性交の有無を示す情報、薬飲の有無を示す情報、発熱の有無を示す情報、おりものの有無を示す情報、不正出血の有無を示す情報等）の入力をキーボードや不図示のマウスを介して受け付け、体温データと対応付けて記憶したり、トレンドグラフと対応付けてカラーの液晶表示部に表示したりするためのアプリケーションプログラム（トレンドグラフ作成・表示アプリケーション）がインストールされているものとする。
【００１４】
また、１１０は、被検者の基礎体温を測定し、基礎体温データとして表示処理装置１００に送信可能な電子体温計である。電子体温計１１０において、１１１は測定した基礎体温データを表示する表示部である。１１２はエンドキャップであり、内蔵された温度計測部（詳細は後述）に対して被検者の体温が伝導しやすいように、ステンレスなどの金属により被覆されている。１１３は、ＯＮ／ＯＦＦスイッチであり、体温の測定を開始する前、又は体温の測定を終了した後に押すことで、電子体温計１１０の電源のＯＮ／ＯＦＦを制御する。
【００１５】
なお、図１に示す基礎体温データ測定／表示システムでは、表示処理装置１００と電子体温計１１０とが無線により接続されているものとして図示しているが、本発明はこれに限定されず、表示処理装置１００と電子体温計１１０との間は、有線により接続されていてもよい。
【００１６】
また、上記説明では、被検者の体調に関する各種情報を表示処理装置１００のキーボードやマウスを用いて入力することとしたが、本発明は特にこれに限定されるものではなく、電子体温計１１０が、被検者の体調に関する各種情報を入力可能な女性用体温計であった場合においては、当該女性用体温計にて被検者の体調に関する各種情報を入力し、基礎体温データの送信の際、当該入力された各種情報もあわせて送信することで表示処理装置１００に入力する構成としてもよい。
【００１７】
＜２．表示処理装置１００の構成＞
次に表示処理装置１００の構成について説明する。図２は、表示処理装置１００の構成を示すブロック図である。図２において、２０１は制御メモリ（ＲＯＭ）、２０２は中央演算処理装置（ＣＰＵ）、２０３はメモリ（ＲＡＭ）、２０４はコンピュータ読み取り可能な外部記憶装置（記録媒体）である。
【００１８】
また、２０５はユーザの指示を入力するための入力装置（図１に示すキーボードまたは不図示のマウスに対応する）、２０６は表示装置（図１に示す液晶表示部に対応する）、２０７は電子体温計１１０との間でデータの送受信を行うためのインタフェース装置である。更に、２０８はバスである。
【００１９】
本実施形態に係る表示処理装置１００の場合、電子体温計１１０より基礎体温データを受信し、トレンドグラフを作成・表示するトレンドグラフ作成・表示アプリケーション２１１は、外部記憶装置２０４に実行可能に格納されているものとする。また、電子体温計１１０より受信した基礎体温データ及び表示処理装置１００にて入力を受け付けた各種情報２１２は、日付情報と対応付けて外部記憶装置２０４に格納されているものとする。
【００２０】
そして、当該トレンドグラフ作成・表示アプリケーション２１１及び各種情報／基礎体温データ２１２は、中央演算処理装置２０２の制御のもと、バス２０８を介して適宜メモリ２０３に取り込まれ、中央演算処理装置２０２によって処理される。
【００２１】
＜３．電子体温計１１０の構成＞
図３は本実施形態にかかる表示処理装置１００に基礎体温データを送信する電子体温計１１０の機能構成を示す内部ブロック図である。
【００２２】
電子体温計１１０は、温度に比例した時間分のＯＮ信号を出力する温度計測部３１０と、温度計測部３１０より出力されたＯＮ信号に基づいて各種処理を行い、被検者の体温を演算すると共に電子体温計１１０全体の動作を制御する演算制御部３２０と、演算された被検者の体温を表示する表示部３３０（図１の表示部１１１に対応する）と、基礎体温データを表示処理装置１００に送信するインタフェース部３４０と、音声データを出力する音声出力部３５０と、電源部３６０とを備える。
【００２３】
温度計測部３１０は、サーミスタ、コンデンサ、測温用ＣＲ発振回路等から構成されており、サーミスタにより検出された温度を発信信号として出力する。出力された発信信号はカウンタにおいてカウントされることで、デジタル量として出力される。なお、温度計測部３１０の構成は一例であって、これに限定されるものではない。
【００２４】
演算制御部３２０は、温度計測部３１０より出力されるデジタル信号のＯＮ時間を計測するタイマー３２２を備える。
【００２５】
また、タイマー３２２により計測された時間に基づいて温度データを算出するとともに、算出された温度データの時間変化に基づいて、被検者の体温を予測演算するプログラムを格納したＲＯＭ３２４と、算出された温度データを時系列で記憶するためのＲＡＭ３２６と、所定の音声データを格納したＥＥＰＲＯＭ３２５と、ＲＯＭ３２４に格納されたプログラムに従った演算や基礎体温データの送信を行う演算処理部３２３とを備える。
【００２６】
更に、演算制御部３２０は演算処理部３２３における演算結果を表示する表示部３３０を制御するための表示制御部３２７を備える。
【００２７】
更に、演算制御部３２０は、上記タイマー３２２、表示制御部３２７、演算処理部３２３、温度計測部３１０を制御する制御回路３２１を備える。
【００２８】
＜４．トレンドグラフ作成・表示アプリケーションによるトレンドグラフ作成・表示処理の流れ＞
次に、トレンドグラフ作成・表示アプリケーション２１１によるトレンドグラフ作成・表示処理の流れについて説明する。図４は、トレンドグラフ作成・表示アプリケーション２１１によるトレンドグラフ作成・表示処理の流れを示すフローチャートである。
【００２９】
トレンドグラフ作成・表示アプリケーション２１１が起動され、トレンドグラフ作成・表示処理が開始されると、図４に示すフローチャートが実行される。ステップＳ４０１では、トレンドグラフ表示画面をカラーの液晶または有機ＥＬで構成された表示装置２０６に表示する。なお、トレンドグラフ表示画面は、日付データが流し込まれる日付表示領域が横軸に配され（例えば５０日分の日付表示領域が横軸に配され）、所定の範囲（例えば、３５℃〜３７℃）の体温値が所定の間隔（例えば、０．５℃間隔）で付された体温表示領域が縦軸に配されているものとする。
【００３０】
ステップＳ４０２では、デフォルトの期間として規定された期間に対応する基礎体温データ及び各種情報を外部記憶装置２０４から読み出し、ステップＳ４０１において表示されたトレンドグラフ表示画面に表示する。
【００３１】
ステップＳ４０３では、ユーザより、特定の時期の生理周期１周期分の基礎体温データを含むトレンドグラフを表示すべき旨の表示指示が入力されたか否かを判定する。なお、特定の時期の生理周期１周期分の基礎体温データを含むトレンドグラフを表示すべき旨の表示指示とは、例えば、現在トレンドグラフ表示画面に表示されている生理周期の、１つ前の生理周期１周期分の基礎体温データを含むトレンドグラフを表示すべき旨の表示指示や、１つ後の生理周期１周期分の基礎体温データを含むトレンドグラフを表示すべき旨の表示指示が含まれる（なお、以下ではこのような表示指示を前後表示指示と称す）。更に、現在トレンドグラフ表示画面に表示されている生理周期とは無関係に、最新の生理周期１周期内の基礎体温データを含むトレンドグラフを表示すべき旨の表示指示が含まれる（なお、以下ではこのような表示指示を最新表示指示と称す）。
【００３２】
ステップＳ４０３において前後表示指示が入力されたと判定された場合には、ステップＳ４０４に進む。ステップＳ４０４では、前後表示指示において指示された生理周期を特定する。具体的には、前後表示指示が１つ前の生理周期１周期分の基礎体温データを含むトレンドグラフを表示すべき旨の表示指示であった場合には、現在トレンドグラフ表示画面に表示されている生理周期より１つ前の生理周期を、当該表示指示により特定される生理周期であると判断する。また、前後表示指示が１つ後の生理周期１周期分の基礎体温データを含むトレンドグラフを表示すべき旨の表示指示であった場合には、現在トレンドグラフ表示画面に表示されている生理周期より１つ後の生理周期を、当該表示指示により特定される生理周期であると判断する。
【００３３】
ステップＳ４０４では、更に、前後表示指示により特定された生理周期１周期分の基礎体温データを含む所定期間分の基礎体温データ及び各種情報を読み出す。例えば、前後表示指示により特定された生理周期１周期分の基礎体温データを含む５０日分の基礎体温データ及び各種情報を外部記憶装置２０４から読み出す。
【００３４】
ステップＳ４０５では、ステップＳ４０４において読み出された基礎体温データ及び各種情報をトレンドグラフ表示画面に表示する。このとき、特定された生理周期の初日を示す情報を各種情報に基づいて識別し、該識別した生理周期の初日の日付が、トレンドグラフ表示画面の日付表示領域の特定の位置に配されるようにする。例えば、識別した生理周期の初日の日付が、トレンドグラフ表示画面の５０日分の日付表示領域において、６日目の位置にくるように、読み出された基礎体温データ及び各種情報を配置する。
【００３５】
ステップＳ４０６では、トレンドグラフ表示画面にプロットされた基礎体温データ及び各種情報のうち、ステップＳ４０４において特定された生理周期以外の期間の基礎体温データ及び各種情報を、ステップＳ４０４において特定された生理周期１周期内の基礎体温データ及び各種情報とは異なる表示態様で表示する。
【００３６】
例えば、ステップＳ４０４において特定された生理周期以外の期間の基礎体温データ及び各種情報を網掛け表示し、見えにくくすることで、ステップＳ４０４において指示された生理周期１周期内の基礎体温データ及び各種情報を相対的に見えやすくするといった処理を行う。
【００３７】
具体的には、ステップＳ４０４において特定された生理周期の初日の前日から５日分の基礎体温データ及び各種情報を網掛け表示する。また、ステップＳ４０４において特定された生理周期の次の生理周期の初日以降の基礎体温データ及び各種情報を網掛け表示する。
【００３８】
一方、ステップＳ４０３において最新表示指示が入力されたと判定された場合には、ステップＳ４０７に進む。ステップＳ４０７では、最新表示指示により指示された生理周期を特定する。具体的には、外部記憶装置２０４に日付情報と対応付けて記憶されている各種情報のうち、生理周期の初日を示す情報に対応付けられた日付が最新のもの識別する。
【００３９】
ステップＳ４０４では、更に、当該識別された日付以降であって最新表示指示が入力された日までの（つまり現時点までの）基礎体温データを、最新の生理周期内の基礎体温データと判断する。そして、特定された最新の生理周期内の基礎体温データを含む所定期間分の基礎体温データ及び各種情報を読み出す。
【００４０】
具体的には、特定された最新の生理周期内の基礎体温データ及び各種情報に加え、最新の生理周期の初日の前日から５日分の基礎体温データ及び各種情報を外部記憶装置２０４から読み出す。
【００４１】
ステップＳ４０８では、ステップＳ４０７において読み出された基礎体温データ及び各種情報をカラーの液晶または有機ＥＬで構成されたトレンドグラフ表示画面に表示する。このとき、特定された生理周期の初日を示す情報を各種情報に基づいて識別し、該識別した生理周期の初日の日付が、トレンドグラフ表示画面の日付表示領域の特定の位置に配されるようにする。例えば、識別した生理周期の初日の日付が、トレンドグラフ表示画面の５０日分の日付表示領域において、６日目の位置にくるように、読み出された基礎体温データ及び各種情報を配置する。
【００４２】
ステップＳ４０９では、トレンドグラフ表示画面にプロットされた基礎体温データ及び各種情報のうち、ステップＳ４０７において特定された生理周期以外の期間の基礎体温データ及び各種情報を、ステップＳ４０７において特定された生理周期１周期内の基礎体温データ及び各種情報とは異なる表示態様で表示する。
【００４３】
例えば、ステップＳ４０７において特定された生理周期以外の期間の基礎体温データ及び各種情報を網掛け表示し、見えにくくすることで、ステップＳ４０７において指示された最新の生理周期内の基礎体温データ及び各種情報を相対的に見えやすくするといった処理を行う。
【００４４】
具体的には、ステップＳ４０７において特定された生理周期の初日の前日から５日分の基礎体温データ及び各種情報を網掛け表示する。また、最新表示指示が入力された日より後の日付に対応する領域を網掛け表示する。
【００４５】
ステップＳ４１０では、トレンドグラフ作成・表示アプリケーション２１１の終了を指示する入力があったか否かを判定する。ステップＳ４１０において、トレンドグラフ作成・表示アプリケーション２１１の終了を指示する入力がなかったと判定された場合には、ステップＳ４０３に戻り、処理を継続する。
【００４６】
一方、ステップＳ４１０において、トレンドグラフ作成・表示アプリケーション２１１の終了を指示する入力があったと判定された場合には、処理を終了する。
【００４７】
＜５．トレンドグラフの表示例＞
次にトレンドグラフ作成・表示アプリケーション２１１が実行されることにより表示されるトレンドグラフ表示画面の表示例について、図５〜図７を用いて説明する。
【００４８】
図５〜図７に示すように、トレンドグラフ作成・表示アプリケーション２１１が実行されることにより表示される、カラーの液晶または有機ＥＬで構成されたトレンドグラフ表示画面５００は、指示入力領域５１０とグラフ表示領域５２０とデータ表示領域５３０とに大別することができる。
【００４９】
このうち、指示入力領域５１０には、ユーザがグラフ表示領域５２０に表示させたい生理周期を指示するためのボタン５１２〜５１４が配されている。ボタン５１２は、現在グラフ表示領域５２０に表示されている生理周期より１つ前の生理周期１周期分の基礎体温データを含むトレンドグラフを表示するよう指示（前後表示指示）するためのボタンである。
【００５０】
また、ボタン５１４は、現在グラフ表示領域５２０に表示されている生理周期より１つ後の生理周期１周期分の基礎体温データを含むトレンドグラフを表示するよう指示（前後表示指示）するためのボタンである。
【００５１】
更に、ボタン５１３は、グラフ表示領域５２０に最新の生理周期内の基礎体温データを含むトレンドグラフを表示するよう指示（最新表示指示）するためのボタンである。
【００５２】
５１５は現在グラフ表示領域５２０に表示されている生理周期のトレンドグラフを印刷するよう指示するためのボタンである。当該ボタンが押圧されることにより、グラフ表示領域５２０に表示されているトレンドグラフが印刷出力されることとなる。
【００５３】
グラフ表示領域５２０には、日付表示領域５２１が横軸に、体温表示領域５２２が縦軸に配されている。本実施形態の場合、日付表示領域５２１には、前後表示指示により特定された生理周期の初日の５日前から、５０日間分の日付が表示され、グラフ表示領域５２０には、この期間におけるすべての基礎体温データ（外部記憶装置２０４に記憶されている基礎体温データ）がプロットされる。なお、このとき表示される５０日の期間のはじめと終わりの日付（つまり、現在グラフ表示領域５２０に表示されている期間）は、表示期間５１１に明示されることとなる。
【００５４】
なお、日付表示領域５２１では、土曜日及び日曜日の日付と平日（月曜日〜金曜日）の日付とを区別しやすくするために、土曜日及び日曜日の日付が平日の日付と異なる色で着色されている。また、日付表示領域５２１では、５日単位に太線が付されており、これにより日数が数えやすくなっている。
【００５５】
データ表示領域５３０には、入力装置２０５を介して入力された各種情報が日付表示領域５２１の日付に対応付けて表示される。本実施形態の場合、各種情報として、生理初日を示す情報、生理痛があった日を示す情報、性交の有無を示す情報、薬飲の有無を示す情報、発熱の有無を示す情報、おりものの有無を示す情報、不正出血の有無を示す情報がそれぞれ表示される（５３１参照）。
【００５６】
また、データ表示領域５３０には、電子体温計１１０より送信された基礎体温データの値が表示される（５３２参照）。更に、電子体温計１１０において追加メモが入力されていた場合、あるいは入力装置２０５を介して追加メモが入力されていた場合には、当該追加メモが表示される（５３３参照）。
【００５７】
次に、図５〜図７のトレンドグラフ表示画面５００について以下に個別に説明する。図５は、ボタン５１３を押圧することにより、最新の生理周期が指示された様子を示している。図５に示すように、日付表示領域５２１には、最新の生理周期の初日（６月２１日）の５日前である６月１６日から８月４日までの日付（５０日分の日付）が表示されることとなる。
【００５８】
そして、日付表示領域５２１に表示された日付の期間内において取得された全ての基礎体温データが、グラフ表示領域５２０にプロットされトレンドグラフとして表示される。図５の例では、６月１７日から７月２日までの間の基礎体温データが取得されているため、この間の基礎体温データがプロットされ、トレンドグラフとして表示されることとなる。
【００５９】
なお、グラフ表示領域５２０及びデータ表示領域５３０のうち、生理周期の初日（６月２１日）より前の期間と、現時点の日付（図５の例では、現時点の日付が７月６日であるとしている）より後の期間に対しては、網掛けが付され、生理周期の初日から現時点の日付までの期間と区別しやすくなっている。このような表示形態をとることで、ユーザが着目したい生理周期内の基礎体温データ及び各種情報を、ユーザは容易に認識することができるようになる。
【００６０】
図６は、ボタン５１３が押圧された後に、更に、ボタン５１２が押圧され、最新の生理周期の１つ前の生理周期が指示された様子を示している。図６に示すように、日付表示領域５２１には、最新の生理周期の１つ前の生理周期の初日（５月２７日）の５日前である５月２２日から７月１０日までの日付（５０日分の日付）が表示されることとなる。
【００６１】
そして、日付表示領域５２１に表示された日付の期間内において、取得された全ての基礎体温データがグラフ表示領域５２０にプロットされトレンドグラフとして表示される。図６の例では、５月２２日から６月１０日までと、６月１７日から７月２日までの間の基礎体温データが取得されているため、この間の基礎体温データがプロットされトレンドグラフとして表示されることとなる。
【００６２】
なお、グラフ表示領域５２０及びデータ表示領域５３０のうち、生理周期の初日（５月２７日）より前の期間と、次の生理周期の初日（６月２１日）以降の期間に対しては、網掛けが付され、生理周期の初日から終わりまで（５月２７日から６月２０日まで）の期間と区別しやすくなっている。このような表示形態をとることで、ユーザが着目したい生理周期内の基礎体温データ及び各種情報を、ユーザは容易に認識することができるようになる。
【００６３】
図７は、更にボタン５１２が押圧され、最新の生理周期の２つ前の生理周期が指示された様子を示している。図７に示すように、日付表示領域５２１には、最新の生理周期の２つ前の生理周期の初日（４月２９日）の５日前である４月２４日から６月１２日までの日付（５０日分の日付）が表示されることとなる。
【００６４】
そして、日付表示領域５２１に表示された日付の期間内において取得された全ての基礎体温データが、グラフ表示領域５２０にプロットされ、トレンドグラフとして表示される。図７の例では、４月２４日から６月１２日までの間の基礎体温データが取得されているため、この間の基礎体温データがプロットされトレンドグラフとして表示されることとなる。
【００６５】
なお、グラフ表示領域５２０及びデータ表示領域５３０のうち、生理周期の初日（４月２９日）より前の期間と、次の生理周期の初日（５月２７日）以降の期間に対しては、網掛けが付され、生理周期の初日から終わりまで（４月２９日から５月２６日まで）の期間と区別しやすくなっている。このような表示形態をとることで、ユーザが着目したい生理周期内の基礎体温データ及び各種情報を、ユーザは容易に認識することができるようになる。
【００６６】
また、図５〜図７の説明から明らかなように、グラフ表示領域５２０及びデータ表示領域５３０において、網掛けがなされていない期間は、常に、グラフ表示領域５２０に表示された期間の６日目から始まっている。つまり、ボタン５１２〜５１４を押圧し、ユーザが表示させたい生理周期を指示した場合、当該指示された生理周期の初日の基礎体温データは、常に、グラフ表示領域５２０の同じ位置（横軸方向において同じ位置）にプロットされることとなる。
【００６７】
このため、ボタン５１２またはボタン５１４を連続的に押圧することで、前後の生理周期のトレンドグラフを、生理周期の初日の基礎体温データのプロット位置を一致させた状態で連続的に切り替えて表示させることが可能となる。この結果、前後の生理周期のトレンドグラフの違いが比較しやすくなり、ユーザは、前後の生理周期のトレンドグラフの相関を容易に把握することができるようになる。
【００６８】
以上の説明から明らかなように、本実施形態に係る表示処理装置では、基礎体温データのトレンドグラフを表示するにあたり、
・生理周期を単位として表示の切り替え指示を入力する構成とした。
・表示の切り替え指示の入力により特定された生理周期１周期内の基礎体温データを含むトレンドグラフを表示するにあたり、生理周期の初日の基礎体温データのプロット位置を一致させる構成とした。
・表示の切り替え指示により特定された生理周期以外の期間のトレンドグラフ及び各種情報を網掛け表示し、生理周期内のトレンドグラフ及び各種情報を相対的に見やすくする構成とした。
【００６９】
この結果、所定の生理周期のトレンドグラフと他の生理周期のトレンドグラフとの相関をユーザは容易に把握できるようになった。
【００７０】
［第２の実施形態］
上記第１の実施形態では、表示指示により特定された生理周期１周期分の基礎体温データを含む所定期間分の基礎体温データ及び該基礎体温データに対応付けられた各種情報を読み出す構成としたが、本発明はこれに限定されず、表示指示により特定された生理周期１周期内の基礎体温データのみを読み出す構成としてもよい。
【００７１】
また、上記第１の実施形態では、ボタン５１２または５１４が押圧された場合に、前後の生理周期１周期分の基礎体温データを含むトレンドグラフを、生理周期の初日の基礎体温データのプロット位置を一致させた状態で表示することで、前後の生理周期１周期分の基礎体温データの変化の違いを比較しやすくする構成としたが、本発明はこれに限定されない。例えば、複数の生理周期を指定し、当該指定された生理周期１周期分の基礎体温データからなるトレンドグラフを、生理周期の初日の基礎体温データのプロット位置を一致させた状態で重畳して表示する構成としてもよい。
【００７２】
以下、本実施形態の詳細について説明する。なお、基礎体温データ測定／表示システムの構成、表示処理装置の構成、電子体温計の構成は上記第１の実施形態と同様であるため、ここでは説明を省略する。
【００７３】
＜１．トレンドグラフ作成・表示アプリケーションによるトレンドグラフ作成・表示処理の流れ＞
はじめに、本実施形態に係る表示処理装置のトレンドグラフ作成・表示アプリケーション２１１によるトレンドグラフ作成・表示処理の流れについて説明する。図８は、トレンドグラフ作成・表示アプリケーション２１１によるトレンドグラフ作成・表示処理の流れを示すフローチャートである。
【００７４】
トレンドグラフ作成・表示アプリケーション２１１が起動されトレンドグラフ作成・表示処理が開始されると、図８に示すフローチャートが実行される。ステップＳ８０１では、トレンドグラフ表示画面を表示装置２０６に表示する。なお、トレンドグラフ表示画面は、生理周期初日からの経過日数が表示される日数表示領域が横軸に配され（例えば３０日分の日数表示領域が配され）、所定の範囲（例えば、３５．２℃〜３７℃）の体温値が所定の間隔（例えば、０．２℃間隔）で付された体温表示領域が縦軸に配された構成となっているものとする。
【００７５】
ステップＳ８０２では、表示すべき生理周期を特定するための指示をユーザが入力した場合に、これを受け付ける。なお、ユーザは、複数の生理周期を同時に指示可能であるとする。
【００７６】
ステップＳ８０３では、ステップＳ８０２における指示により特定される生理周期１周期内の基礎体温データを全て外部記憶装置２０４から読み出す。
【００７７】
ステップＳ８０４では、ステップＳ８０３において読み出された基礎体温データの初日がトレンドグラフ表示画面の日数表示領域の第１日目の位置に配置されるように、該読み出された基礎体温データをプロットする。
【００７８】
ステップＳ８０５では、ステップＳ８０２において特定された全ての生理周期について、その１周期分の基礎体温データの読み出し及びプロットが完了したか否かを判定する。ステップＳ８０５において、特定された全ての生理周期について、その１周期分の基礎体温データの読み出し及びプロットが完了していないと判定された場合には、ステップＳ８０３に戻り、処理を継続する。
【００７９】
一方、ステップＳ８０５において、特定された全ての生理周期について、その１周期分の基礎体温データの読み出し及びプロットが完了したと判定された場合には、ステップＳ８０６に進む。
【００８０】
ステップＳ８０６では、トレンドグラフ作成・表示アプリケーション２１１の終了を指示する入力があったか否かを判定する。ステップＳ８０６において、トレンドグラフ作成・表示アプリケーション２１１の終了を指示する入力がなかったと判定された場合には、ステップＳ８０２に戻り、処理を継続する。
【００８１】
一方、ステップＳ８０６において、トレンドグラフ作成・表示アプリケーション２１１の終了を指示する入力があったと判定された場合には、処理を終了する。
【００８２】
＜２．トレンドグラフの表示例＞
次にトレンドグラフ作成・表示アプリケーション２１１が実行されることにより表示されるトレンドグラフ表示画面の表示例について図９を用いて説明する。
【００８３】
図９に示すように、トレンドグラフ作成・表示アプリケーション２１１が実行されることにより表示されるトレンドグラフ表示画面９００は、横軸に日数表示領域９０１が配され、縦軸に体温表示領域９０２が配された構成となっている。
【００８４】
また、トレンドグラフ表示画面９００の上段には、グラフ表示領域９０３に表示させたい生理周期を指示するための入力欄９０４が配されている。更に、入力欄９０４には、下向き矢印ボタン９０５が配されており、当該矢印ボタン９０５が押圧されることにより、リスト９０６が表示される。
【００８５】
図９は、入力欄９０４において、１回前の生理周期と、２回前の生理周期と、３回前の生理周期とが指定され、グラフ表示領域９０３に各生理周期１周期分の基礎体温データからなるトレンドグラフが重畳して表示された様子を示している。
【００８６】
図９に示すように、グラフ表示領域９０３に表示された各生理周期１周期分の基礎体温データからなるトレンドグラフは、生理周期内の初日の基礎体温データのプロット位置が一致して表示されるため、各生理周期１周期分の基礎体温データからなるトレンドグラフ間の違いを容易に把握することができる。また、季節間の変わり目等による体調の変化が極めて容易に視認できる。
【００８７】
以上の説明から明らかなように、本実施形態に係る表示処理装置では、基礎体温データのトレンドグラフを表示するにあたり、
・生理周期を単位として表示指示を入力する構成とした。
・表示指示により指定された複数の生理周期１周期分の基礎体温データからなる各トレンドグラフを重畳して表示するにあたり、生理周期の初日の基礎体温データのプロット位置を一致させる構成とした。
【００８８】
この結果、所定の生理周期のトレンドグラフと他の生理周期のトレンドグラフとの相関をユーザは容易に把握できるようになった。
【００８９】
［第３の実施形態］
上記第１の実施形態におけるトレンドグラフ表示画面と、上記第２の実施形態におけるトレンドグラフ表示画面とは、共通のトレンドグラフ作成・表示アプリケーション２１１において、選択的に切り替えて表示できるように構成しても良い。
【００９０】
また、上記第１及び第２の実施形態においてトレンドグラフ作成・表示アプリケーション２１１は、表示処理装置１００上において実行される構成としたが、例えば女性用体温計において実行されるように構成しても良い。
【図１】
2011067293.tif 000003
【図２】
2011067293.tif 000004
【図３】
2011067293.tif 000005
【図４】
2011067293.tif 000006
【図８】
2011067293.tif 000007
【図９】
2011067293.tif 000008
【図５】
2011067293.tif 000009
【図６】
2011067293.tif 000010
【図７】
2011067293.tif 000011
【図１０】
2011067293.tif 000012